(57)【要約】【課題】ACアダプタを使用せずにバッテリーを充電することが可能なラップトップ型コンピュータを提供すること【解決手段】本開示の一実施形態は、表示回路及び表示画面(16)を有する表示ケーシング(11)と該表示ケーシング(11)に連結されたメインコンピュータケーシング(12)とを含む、ラップトップ型コンピュータシステム(10)に関する。該メインコンピュータケーシング(12)は、バッテリー電源(13)、充電レギュレータ(20)、及びEthernetタイプのコネクタ(17)を含む。前記バッテリー電源(13)はマザーボードスイッチングレギュレータに結合される。前記充電レギュレータ(20)は前記バッテリー電源(13)に結合され、該バッテリー電源を充電するよう構成される。Ethernetタイプのコネクタ(17)は、前記充電レギュレータ(20)に結合され、該充電レギュレータに電力を供給するよう構成される。【選択図】図２
2005318795.tif 000002
【特許請求の範囲】
【請求項１】
表示回路及び表示画面を有する表示ケーシングと、該表示ケーシングに結合されたメインコンピュータケーシングとを含む、ラップトップ型コンピュータシステムであって、
前記メインコンピュータケーシングが、
マザーボードスイッチングレギュレータに結合されたバッテリー電源と、
該バッテリー電源に結合され、及び該バッテリー電源を再充電するよう構成された、充電レギュレータと、
該充電レギュレータに結合され、及び該充電レギュレータに電力を供給するよう構成された、Ethernetタイプのコネクタと
を含む、ラップトップ型コンピュータシステム。
【請求項２】
前記Ethernetタイプのコネクタに結合され、及び該Ethernetタイプのコネクタから一対の線路を介して供給された電力を検知するよう構成された、電力検知回路を更に含む、請求項１に記載のラップトップ型コンピュータシステム。
【請求項３】
前記Ethernetタイプのコネクタと前記充電レギュレータとの間に構成され、及び供給された電力のDC電圧レベルを降下させるよう構成された、降圧回路を更に含む、請求項２に記載のラップトップ型コンピュータシステム。
【請求項４】
前記供給された電力の（降下させる前の）DC電圧レベルが約50ボルトである、請求項３に記載のラップトップ型コンピュータシステム。
【請求項５】
前記充電レギュレータに結合され、及び該充電レギュレータに電力を供給するよう構成された、Ethernetタイプでないコネクタを更に含み、
該Ethernetタイプでないコネクタが電源アダプタに接続されるよう構成されている、
請求項１に記載のラップトップ型コンピュータシステム。
【請求項６】
前記Ethernetタイプのコネクタを介して供給された電力が、前記ラップトップ型コンピュータを完全に動作させるには不充分なものであり、及びバッテリー電源で動作している前記ラップトップ型コンピュータの動作時間を延長させるために使用され、前記Ethernetタイプでないコネクタにより供給される電力が、前記ラップトップ型コンピュータを完全に動作させるのに充分なものである、請求項５に記載のラップトップ型コンピュータ。
【発明の詳細な説明】
【技術分野】
【０００１】
本発明は、一般にコンピュータに関し、特にラップトップ型コンピュータのバッテリー充電に関するものである。
【背景技術】
【０００２】
コンピュータシステムは、多くの形状、サイズ、計算能力のものが販売されている。指定された場所で働く人には、その人の要望を満たすのに、標準のデスクトップ型コンピュータで充分であるかもしれない。しかし、頻繁に出張し、かつ出張中にコンピューティング能力を必要とするユーザには、ポータブル型又はラップトップ型のコンピュータが望ましい。
【０００３】
ラップトップ型コンピュータは、そのコンピューティング機能全体を単一パッケージに組み込んでいることを特徴としている。すなわち、マザーボード、ハードディスクドライブ、ディスクドライブ、CD-ROMドライブ、キーボード、ディスプレイが全て、通常は約4.6kg（10ポンド）よりも軽い重量のコンパクトな装置という形でパッケージ化されている。ラップトップ型コンピュータは、フルサイズ又はデスクトップ型のコンピュータと全く同じプログラム（例えば、ワードプロセッサプログラムやスプレッドシートプログラム）を実行することが可能であるという点で、完全な機能を有するものである。ラップトップ型コンピュータは、交流（AC）コンセントが利用できない場所であってもラップトップ型コンピュータのリモート動作を可能にするバッテリーを備えている。
【０００４】
ラップトップ型コンピュータは、ポータブルコンピューティングのニーズに応えるものであるかもしれないが、それらに欠点がないわけではない。例えば、ほとんどのラップトップ型コンピュータのキーボードは非標準的なサイズを有する。すなわち、そのキーは、互いにわずかに接近しており、標準キーボードほど人間工学的に配置されてはいない。ラップトップ型コンピュータの更なる欠点は、その相対的に小さいサイズを考慮に入れると、限られた数の通信ポートしか有することができない点である。また、ラップトップ型コンピュータの表示装置は、ラップトップ型コンピュータの全体サイズを小さく抑えるために、通常はデスクトップ型モニタと比較して小さいものとなる。
【発明の開示】
【発明が解決しようとする課題】
【０００５】
本開示に特に関連する点として、ラップトップ型コンピュータは、バッテリー電源を用いて限られた時間しか動作することができない。これは、ラップトップ型コンピュータのマイクロプロセッサ、表示画面、及びその他の構成要素が、稼動するのに著しい電力を必要とする反面、ラップトップ型コンピュータのバッテリーが、限られた電力量しか保持できないためである。バッテリー電源を用いて、この限られた動作時間に対処するために、多くのユーザは、第２の充電されたバッテリーを携帯している。多くのユーザはまた、従来のコンセントが利用できるときには、ラップトップ型コンピュータと一緒にややかさばって邪魔なAC-DC電力変換器を持ち歩き、利用できる場合にはそのプラグを従来のコンセントに差すことができるようにしている。
【課題を解決するための手段】
【０００６】
本開示の一実施形態は、表示回路及び表示画面を有する表示ケーシングと、該表示ケーシングに連結されたメインコンピュータケーシングとを含む、ラップトップ型コンピュータシステムに関するものである。該メインコンピュータケーシングは、バッテリー電源、充電レギュレータ、及びEthernetタイプのコネクタを含む。前記バッテリー電源は、マザーボードスイッチングレギュレータに結合される。前記充電レギュレータは、前記バッテリー電源に結合され、該バッテリー電源を充電するよう構成されている。Ethernetタイプのコネクタは、前記充電レギュレータに結合され、該充電レギュレータに電力を供給するよう構成されている。
【０００７】
本開示のもう１つの実施形態は、少なくともバッテリー電源、充電レギュレータ、第１のEthernetタイプのコネクタ、及び第２のEthernetタイプのコネクタを含む、ポータブルコンピュータシステムに関するものである。前記バッテリー電源は、マザーボードスイッチングレギュレータに結合され、前記充電レギュレータは、前記バッテリー電源に結合され、該バッテリー電源を充電するよう構成されている。前記第１のEthernetタイプのコネクタは、前記充電レギュレータに結合され、該充電レギュレータに電力を供給するよう構成されている。前記第２のEthernetタイプのコネクタもまた前記充電レギュレータに結合され、該充電レギュレータに電力を供給するよう構成されている。
【０００８】
本開示のもう１つの実施形態は、バッテリー電源式のノートブック型コンピュータの動作時間を延長させる方法に関するものである。ノートブック型コンピュータのEthernetタイプのコネクタは、電力を供給するネットワークポートに結合される。該ネットワークポートから電力を受け取り、該電力を高電圧レベルから低電圧レベルへと変圧する。該低電圧レベルの電力が充電レギュレータに供給される。ネットワークポートから供給される電力は、ノートブック型コンピュータを完全に動作させるには不充分なものであるため、バッテリー電源で稼動しているノートブック型コンピュータの動作時間を延長させるために利用される。
【発明を実施するための最良の形態】
【０００９】
図１は、本発明の一実施形態によるノートブック型又はラップトップ型コンピュータ10の斜視図である。ラップトップ型コンピュータ10は、表示パネル11とシャーシ12を含む。シャーシ12は、再充電可能バッテリー13を含む。表示パネル11は、LCD表示画面等の何らかのタイプの表示画面16を含み、更に、表示パネル11には、当業界で知られているように、光を供給する光源15も搭載されている。シャーシ12は、Ethernetタイプのコネクタ又はジャック17も含む。Ethernetタイプのコネクタ17は、図面では、シャーシ12の一方の側面に配置されているが、該コネクタは、代替的な実施形態では、シャーシ12の反対側、又は背面に（又はラップトップ型コンピュータ10の他の場所に）配置することが可能である。Ethernetタイプのコネクタ17は、Ethernetケーブル18（図２に示す）の一端が挿入されるポートである。Ethernetケーブル18は、ラップトップ型コンピュータ10を、コンピュータシステムのネットワーク19（図２に示す）及び／又は他のネットワーク接続可能な装置に接続する。従来の電源コネクタ21（図２に示す）は、典型的にはシャーシ12の後方縁部に位置づけられる。
【００１０】
図２は、本発明の一実施形態による図１のラップトップ型コンピュータ10の電源系統のブロック図である。図示のように、ラップトップ型コンピュータ10（典型的には、CPUとしてのマイクロプロセッサ、それに関連するチップセット、表示画面、及び他の論理回路を含む）は、複数の電源から電力を受け取ることが可能である。
【００１１】
ノートブック型コンピュータ10は、（従来の電源コネクタ21及び従来のケーブル22を介して）従来の電源アダプタ23に接続されるよう構成される。電源アダプタ23は、従来の外部電源（例えばコンセント）に接続されて、そこから電力を受け取る。電源アダプタ23は、必要とされるあらゆる電力変換（例えばAC110ボルトをDC15ボルトにする）を行う。次いで、コンピュータ10のマザーボードスイッチングレギュレータに、この外部電源から電力が供給される。これと同時に（必要であれば）再充電可能バッテリー13を外部電源により（充電レギュレータ回路20を介して）充電することが可能である。また外部電源が利用できない場合には、コンピュータ10の電源は再充電可能バッテリー13によって供給される。
【００１２】
本発明の一実施形態によれば、ラップトップ型コンピュータ10は更に、Ethernetタイプのコネクタ17及びEthernetケーブル18を介してEthernetネットワーク19から電力を受け取るよう構成される。この場合、Ethernetケーブル18は、データ通信関連の線路に加えて、電力を供給するための一対の線路も含む。特定の一実施形態では、Ethernetケーブル18中の予備の一対の線路（10Base-T又は100Base-TのEthernetによるデータ伝送では使用されていない線路）を利用して電力を送る。他の特定の実施形態では、一対のデータ線路が、データ伝送に加えて又はデータ伝送の代りに電力（例えばDC50ボルト）を送るために使用される。ネットワーク19から受け取る電力は、バッテリー13を再充電するために使用することが可能である。
【００１３】
図３は、本発明の一実施形態による図２の電力系統の一部を一層詳細に示したものである。図３に示すように、Ethernetコネクタ17は、ノートブック型コンピュータ10中の電力線路32とデータ線路34の両方に接続されるよう構成することが可能である。特定の実施形態では、電力線路32は、電力検知及び降圧回路36を介して、バッテリー充電レギュレータ回路20に接続される。電力検知回路は、Ethernet接続が（データ通信に加えて又はデータ通信の代りに）電力を供給するか否かを検知するよう構成される。該電力検知回路が電力が供給されていないと判定した場合には、電力線路をバッテリー充電レギュレータ回路20から切り離したままにすることが可能である。降圧回路は、Ethernet接続により供給された高電圧レベル（例えば50ボルト）をバッテリー充電レギュレータ回路20に入力するための低電圧レベル（例えば15ボルト）に降下させるよう構成される。特定の実施形態に応じて、電力検知及び／又は降圧回路は随意選択のものとすることが可能である。
【００１４】
図４は、本発明の他の実施形態によるノートブック型又はラップトップ型コンピュータ40の斜視図である。ラップトップ型コンピュータ40は表示パネル11とシャーシ12を含む。シャーシ12は、再充電可能バッテリー13を含む。表示パネル11は、LCD表示画面等の特定のタイプの表示画面16を含み、更に、表示パネル11には、当業界で知られているように、光を供給する光源15も搭載されている。シャーシ12は、第１のEthernetタイプのコネクタ又はジャック17と、第２のEthernetタイプのコネクタ又はジャック47とを含む。該第１及び第２のEthernetタイプのコネクタ17,47は両方ともシャーシ12の一方の側に配置されて図示されているが、これら２つのコネクタ17,47は、代替的な実施形態では、シャーシ12の反対側に又は背面に（又はラップトップ型コンピュータ10の他の場所に）配置することが可能である。本発明の一実施形態によれば、第１のEthernetタイプのコネクタ17は、ネットワーク接続及び／又は電源供給に割り当てられるが、第２のEthernetタイプのコネクタ47は、電源専用に割り当てられる。
【００１５】
第１のEthernetタイプのコネクタ17は、第１のEthernetケーブル18（図５に示される）の一端が挿入されるポートである。この第１のEthernetケーブル18は、ラップトップ型コンピュータ10を、コンピュータシステム及び／又は他のネットワーク可能な装置のネットワーク19（図５に示される）に接続する。ネットワーク19は、電力（例えば、50ボルトDCのもの）を供給するように構成される場合があるか、又は構成されない場合がある。
【００１６】
第２のEthernetタイプのコネクタ47は、第２のEthernetケーブル48（図５に示す）の一端が挿入されるポートである。この第２のEthernetケーブル48は、ラップトップ型コンピュータ10を電源アダプタ49（その形状が故に電源「ブリック（れんが）」と呼ばれることもある）に接続することが可能である。この電源アダプタ49は、Ethernetケーブル48を介して電力（例えば15ボルトDC）を供給することができるようにEthernet互換の出力を有するよう特別に構成される。電源アダプタ49の他端（図示せず）は、従来の外部電源（例えばAC110ボルトを供給するコンセント）に接続されて、そこから電力を受け取ることが可能である。
【００１７】
代替的には、第２のEthernetケーブル48は、ラップトップ型コンピュータ10を補足的な電力（例えばDC50ボルト）を供給するEthernetネットワークに接続することが可能である。このEthernetネットワークは、第１のコネクタ17に接続されるネットワーク19と同一とすることも異なるネットワークとすることも可能である。
【００１８】
図５は、本発明の一実施形態による図４のラップトップ型コンピュータ40の電力系統のブロック図である。図示のように、ラップトップ型コンピュータ40（典型的には、CPUとしてのマイクロプロセッサ、関連するチップセット、表示画面、及び他の論理回路を含む）は、複数の電源から電力を受け取ることが可能である。
【００１９】
本発明の一実施形態によれば、ラップトップ型コンピュータ40は、第１のEthernetタイプのコネクタ17及びEthernetケーブル18を介してEthernetネットワーク19から電力を受け取るよう構成される。この場合、第１のEthernetケーブル18は、データ通信関係の線路に加えて、電力を供給する一対の線路も含む。特定の一実施形態では、Ethernetケーブル18中の予備の一対の線路（10Base-T又は100Base-TのEthernetでデータ伝送に使用されていないもの）を利用して電力を送る。別の特定の実施形態では一対のデータ線路が（データ伝送に加えて）電力を送るために使用される。ネットワーク19から受け取られる電力は、バッテリー13を再充電するために使用することが可能である。
【００２０】
本発明の一実施形態によれば、ノートブック型コンピュータ40は、Ethernet互換の出力を有するよう構成された特別な電源アダプタ49に（第２のEthernetタイプのコネクタ47及びEthernetケーブル48を介して）接続されるように更に構成される。該特別な電源アダプタ49は、従来の外部電源（例えばコンセント）に接続されて、そこから電力を受け取り、変換された電力をEthernet互換の出力を介して出力する。電源アダプタ49は、必要とされるあらゆる電力変換を行う（例えばAC110ボルトをDC15ボルトにし、又はAC110ボルトをDC50ボルトにする）。次いで、コンピュータ40がこの外部電源により給電される。これと同時に、（必要であれば）再充電可能バッテリー13を該外部電源により（充電レギュレータ回路20を介して）充電することが可能である。
【００２１】
一実施形態によれば、かかるアダプタ49を介した給電が利用できない（例えばユーザがアダプタ49を持参しておらず又はコンセントが利用できない）場合には、ユーザは、その代りに、第２のEthernetコネクタ47に接続して、Ethernetネットワーク（第１のコネクタ17に接続されるネットワークと同じネットワーク19又はそれとは異なるネットワーク）から補足的な電力（例えばDC50ボルト）を受け取ることが可能である。この補足的な電力は、バッテリ13を再充電するために使用することが可能である。
【００２２】
図６は、本発明の一実施形態による図５の電力系統の一部を一層詳細に示している。
【００２３】
同図に示すように、第１のEthernetコネクタ17は、ノートブック型コンピュータ40中の電力線路32とデータ線路34の両方に接続されるよう構成されている。特定の実施形態では、電力線路32は、電力検知及び降圧回路36を介してバッテリー充電レギュレータ回路20に接続される。電力検知回路は、Ethernet接続が（データ通信に加えて又はデータ通信の代りに）電力を供給するか否かを検知するよう構成される。該電力検知回路が、電力が供給されていないと判定した場合には、電力線路をバッテリー充電レギュレータ回路20から切り離しておくことが可能である。降圧回路は、Ethernet接続により供給される高電圧レベル（例えば50ボルト）を、バッテリー充電レギュレータ回路20に入力される低電圧レベル（例えば15ボルト）へと降下させるよう構成される。特定の実施形態に応じて、電力検知及び／又は降圧回路は随意選択とすることが可能である。更に、このシステムにシグネチャ回路を含め、このネットワークに「シグネチャ」を送って、ラップトップ型コンピュータがネットワーク接続を介して電力を受け取れること並びに該ラップトップ型コンピュータが必要とする電力の大きさを、該ネットワークに知らせることが可能である。
【００２４】
更に図６に示すように、第２のEthernetタイプのコネクタ47は、電圧検知及びスイッチング回路62及び降圧回路64を介して充電レギュレータ回路20に接続されるよう構成される。該電圧検知回路は、電源が降圧する必要のある高電圧レベル（例えばネットワークからのDC50ボルト）で供給されているか又は降圧する必要のない低電圧レベル（例えば特定の電源アダプタ49からのDC15ボルト）で供給されているかを検知し又は判定するよう構成される。供給された電圧が降圧を必要とする場合には、該電源をスイッチング回路により切り替えて降圧回路64を通過させることが可能である。一方、供給された電源が降圧を必要としない場合には、該電源がスイッチング回路により切り替えられて降圧回路64をバイパスし、充電レギュレータ回路20へと（更にラップトップ型コンピュータ40のマザーボードスイッチングレギュレータにも）直接進むことが可能である。特定の実施形態に応じて、上述した追加の回路は随意選択とすることが可能である。
【００２５】
代替的な実施形態では、ネットワークポートにより供給される電圧レベル（例えば約50ボルト）と同一の又は同様の電圧レベルが特別な電力アダプタ49により供給される。この実施形態では電圧検知及びスイッチング回路62は必要ない。その代りに、第２のEthernetタイプのコネクタ47と充電レギュレータ回路20との間に降圧回路64を構成することが可能である（電圧検知及びスイッチング回路62は存在しない）。
【００２６】
図７は、本発明の一実施形態によるネットワーク接続型電力デマルチプレクサ装置（networked power demultiplexer device）700を示している。このネットワーク接続型電力デマルチプレクサ装置700は、ネットワーク接続された電力に接続するよう構成された入力702を含む。このため、該入力702は、ネットワーク信号と電力を両方とも受け取ることが可能である。装置700は更に、ポータブル型コンピュータシステムの従来のネットワークポートにネットワーク信号を供給するよう構成された第１の出力704と、ポータブル型コンピュータシステムの従来のDC電源入力に所定の電圧レベルのDC電力を供給するよう構成された第２の出力706とを含む。該装置700は、ネットワーク信号を入力702から第１の出力704に送り、また電力を入力702から第２の出力706へ送るよう構成された、デマルチプレクサ回路708を含む。更に、アダプタ装置700は、DC電源入力を、ポータブル型コンピューティング装置の電源入力に適応する所定の電圧レベルに変換するよう構成された電圧変換回路710も含むことが可能である。かかるネットワーク接続型電力デマルチプレクサ装置700は、有利なことに既存のラップトップ型コンピュータと後方互換になる。
【００２７】
本発明の一実施形態では、ラップトップ型コンピュータは、（全電力を供給するのに、例えば80ワットを必要とするような）ラップトップ型コンピュータに完全な電力を供給するには不充分な外部電力を（電力を供給するネットワークへの１つ又は２つ以上の接続から）受け取るよう構成されている。受け取られた外部電力（例えば、１つのネットワーク接続につき15ワット）は、ラップトップ型コンピュータに電力を完全供給するには不充分なものであるが、外部電力を利用してバッテリー30に充電を行って、該バッテリー30がラップトップ型コンピュータに電力を供給することができる期間を延ばすことが可能である。例えば、バッテリ30が、通常はラップトップ型コンピュータを３時間だけ動作させることができるものである場合には、この方法は有利なことに、動作時間を例えば４時間まで延長させることが可能なものとなる。更に、ラップトップ型コンピュータがアイドル状態又はスリープ状態又はハイバーネーション状態又は電源オフ状態である場合に、ラップトップ型コンピュータを充電することが可能である。例えば、ラップトップ型コンピュータは、そのプラグを一晩中ネットワークに接続しておいて翌朝には完全に充電されるようにすることが可能である。
【００２８】
本発明の一実施形態では、ネットワークにより供給される電力は、IEEE802.3afに準拠するもの（「Power over Ethernet」又はPoEと呼ばれる場合もある）とすることが可能である。このEthernetケーブルは、例えば、カテゴリ５その他のケーブルを含み、またこのEthernetタイプのコネクタは、RJ45その他のコネクタを含むことが可能である。
【００２９】
上記説明は、ラップトップ型コンピュータの充電に焦点を合わせたものであるが、本発明の代替的な実施形態は、タブレット型もしくはパームトップ型コンピュータ又はPDA（携帯情報端末）装置を充電するよう本発明を適応させることを含むことが可能である。
【００３０】
上記説明では、本発明の実施形態を完全に理解するために、多数の具体的な詳細が与えられている。しかし、本発明の例示した実施形態に関する上記説明は、全ての実施形態を網羅することを意図したものではなく、また本開示の厳密な形に本発明を限定する意図もない。当業者であれば、上記の具体的な詳細の１つ又は２つ以上を用いることなく、また他の方法や構成要素などを用いて、本発明を実施可能であることが理解されよう。他の場合には、周知の構造又は動作は、本発明の様々な面を不鮮明にしないようにするために、詳細に図示されてないし、また説明されてもない。本発明の特定の実施形態及び例は、例示目的でのみ、本明細書中に述べられているが、関連する当業者であれば、本発明の範囲内で、様々な同等な変更が可能であることが理解されよう。
【００３１】
このような変更は、上に詳述される説明を考慮して、本発明になされる。併記の特許請求の範囲に使用される用語は、本発明を、本明細書及び特許請求の範囲に開示される特定の実施形態に限定するものと解されるべきではない。もっと適切に言えば、本発明の範囲は、特許請求の範囲の解釈の確立した原則に基づいて解釈される併記の特許請求の範囲により決定されることになっている。
【図面の簡単な説明】
【００３２】
【図１】本発明の一実施形態によるノートブック型コンピュータ又はラップトップ型コンピュータの斜視図である。
【図２】本発明の一実施形態による図１のランプトップ型コンピュータの電力系統のブロック図である。
【図３】本発明の一実施形態による図２の電力系統の一部を一層詳細に示すブロック図である。
【図４】本発明の他の実施形態によるノートブック型コンピュータ又はラップトップ型コンピュータの斜視図である。
【図５】本発明の一実施形態による図４のラップトップ型コンピュータの電力系統のブロック図である。
【図６】本発明の一実施形態による図５の電力系統の一部を一層詳細に示すブロック図である。
【図７】本発明の一実施形態による、ネットワークに接続された電力デマルチプレクサ装置を示すブロック図である。
【符号の説明】
【００３３】
11  表示ケーシング
12  メインコンピュータケーシング
13  バッテリー電源
16  表示画面
19  Ethernetネットワーク
20  充電レギュレータ20
23  アダプタ
17  Ethernetタイプのコネクタ
21  従来の電源コネクタ
32  電力線路
34  データ線路
36  電力検知及び降圧回路
49  Ethernet対応の出力部を持つアダプタ
47  Ethernetタイプのコネクタ
62  電圧検知及びスイッチング回路
64  降圧回路
700  ネットワーク化電力デマルチプレクサ装置
702  ネットワーク化電力入力部
704  ネットワーク出力部
706  電力出力部
708  デマルチプレクサ回路
710  電圧変換回路
【図１】
2005318795.tif 000003
【図２】
2005318795.tif 000004
【図３】
2005318795.tif 000005
【図４】
2005318795.tif 000006
【図５】
2005318795.tif 000007
【図６】
2005318795.tif 000008
【図７】
2005318795.tif 000009